(57)【特許請求の範囲】
【請求項１】
端子台本体に形成された電線が挿入される結線孔と連通する左右の接続部を備え、両接続部間に導通板を差し渡し、該結線孔から挿入した電線の導線を導通板に電気的に接続するようにした端子台において、
前記結線孔を横断する位置に配設される移動端部と、該移動端部から内方へ湾曲状に延成されて操作孔に臨む押圧背部と、該押圧背部から延成されて端子台本体に保持される保持基部とからなり、移動端部には導線挿入孔が形成されている板状の湾動バネを、両接続部に備え、
導通板の両側に立設した結線部を導線挿入孔に挿入し、定常位置で、湾動バネの復元弾力により導線挿入孔の前縁と結線端部とで導線の挟持を可能とすると共に、
外面に内方へ傾斜した押圧面を備え、端子台本体に形成された操作孔に進退移動可能に装着され、押込み操作により、押圧面により湾動バネの押圧背部を外方へ押付けて、定常位置から、移動端部を導線挿入孔が結線孔と一致する位置へ移動して、導線挿入孔から、導線挿入孔の前縁と結線端部との間に導線を挿入することを可能とするくさび状押圧釦とを備え、
さら操作孔に、前記くさび状押圧釦を最大押込み位置に係止する係止段と、その下方で、外方へ傾斜して、くさび状押圧釦の下端が当接し、くさび状押圧釦の押し込み操作に伴ってくさび状押圧釦の押圧面を湾動バネ側に案内する案内面とが形成され、
かつくさび状押圧釦を、係止段との係合を解除することにより、湾動バネの復元弾力によりくさび状押圧釦を定常位置に復帰するようにしてなることを特徴とする端子台。
【発明の詳細な説明】
【０００１】
【発明の属する技術分野】
本発明は、電線相互を接続する端子台に関する。
【０００２】
【従来の技術】
端子台本体の左右に接続部を備え、両接続部間に導通板を差し渡し、導線を導通板の端部に結線手段を介して電気的に接続するようにした端子台は種々提案されている。このような端子台に用いられる結線手段としては、導線に接続した圧着端子を接続螺子により、導通板に直接接続する手段が一般的である。しかるに、かかる構成にあっては、導線に圧着端子を接続する必要があり、かつ接続螺子の回転操作を要して面倒である。
【０００３】
【発明が解決しようとする課題】
そこで、端子台本体に形成された左右の接続部に連通する結線孔を備え、該結線孔から電線を挿通することにより、該接続部に配設した湾動バネにより、電線の先端に露出した導線を導通板と湾動バネ間で挟持するようにして、圧着端子と、接続螺子を不要とした構成が特公昭６４−１２０６７号等で提案された。
【０００４】
しかるにかかる構成にあっては、作動部材を押し付けて、湾動バネを導通板側に押し出して、導線を挟持するものであるから、機械的保持力が弱く、電線の引張操作により離脱し易い。
本発明は、電線を強固に接続できて、上述の問題点を解決し得ると共に、その接続操作が容易な端子台を提供することを目的とするものである。
【０００５】
【課題を解決するための手段】
本発明は、
端子台本体に形成された電線が挿入される結線孔と連通する左右の接続部を備え、両接続部間に導通板を差し渡し、該結線孔から挿入した電線の導線を導通板に電気的に接続するようにした端子台において、
前記結線孔を横断する位置に配設される移動端部と、該移動端部から内方へ湾曲状に延成されて操作孔に臨む押圧背部と、該押圧背部から延成されて端子台本体に保持される保持基部とからなり、移動端部には導線挿入孔が形成されている板状の湾動バネを、両接続部に備え、
導通板の両側に立設した結線部を導線挿入孔に挿入し、定常位置で、湾動バネの復元弾力により導線挿入孔の前縁と結線端部とで導線の挟持を可能とすると共に、
外面に内方へ傾斜した押圧面を備え、端子台本体に形成された操作孔に進退移動可能に装着され、押込み操作により、押圧面により湾動バネの押圧背部を外方へ押付けて、定常位置から、移動端部を導線挿入孔が結線孔と一致する位置へ移動して、導線挿入孔から、導線挿入孔の前縁と結線端部との間に導線を挿入することを可能とするくさび状押圧釦とを備え、
さら操作孔に、前記くさび状押圧釦を最大押込み位置に係止する係止段と、その下方で、外方へ傾斜して、くさび状押圧釦の下端が当接し、くさび状押圧釦の押し込み操作に伴ってくさび状押圧釦の押圧面を湾動バネ側に案内する案内面とが形成され、
かつくさび状押圧釦を、係止段との係合を解除することにより、湾動バネの復元弾力によりくさび状押圧釦を定常位置に復帰するようにしてなることを特徴とする端子台である。
【０００６】
かかる構成にあって、くさび状押圧釦を押込んで湾動バネの押圧背部を外方へ押付けると、湾動バネの移動端部が外側へ移動し、導線挿入孔が結線孔と上下で一致して、導線挿入孔の前縁と結線部との間に開口を生じ、導線挿入孔からの、導線の挿入または離脱が可能となる。また、くさび状押圧釦の押込み操作を解除すると、移動端部が復動し、バネの復元弾力により、導線挿入孔の前縁と結線部間で導線が挟持される。
【０００７】
このように、導線は、湾動バネの復元弾力が直接作用して、挟持されるため、接続強度が高い。また、この湾動バネの押込み操作をくさび状押圧釦により行なうようにしたから、内奥にある湾動バネの押圧背部を徐々に押込むことができ、無理のない押込み操作が可能となる。
【０００８】
一方、前記くさび状押圧釦を最大押込み位置に係止する係止段を操作孔に形成し、かつくさび状押圧釦を係止段との係合を解除することにより、押圧背部の復元弾力によりくさび状押圧釦を定常位置に復帰するようにしたから、係止段によりくさび状押圧釦を最大押込み位置に保持することができる。このため、作業者は、電線の結線孔への挿入に専念でき、操作が容易となる。
【０００９】
【発明の実施の形態】
本発明の一実施例を添付図面について説明する。
図１，２は、本発明の一実施例に係る端子台１を示し、ポリカーボネイト等絶縁性樹脂材料によって板状に形成された端子台本体２を主体部とし、導通板２０等が付装されて構成される。
【００１０】
端子台本体２は板状をなし、肉厚部６の左右に接続部４，４が配設される作動空隙３，３（図１，６参照）を前方に開放して形成してなる。この端子台本体２の下面両側には、据付レール７０の両側に突成した連係突部７１，７１に対して外側から係合するＵ字状の連結片８，８が垂設される。さらに、その両肩部には記名板７５を装着するため保持溝部６５，６５が形成される。この保持溝部６５，６５の構成は後に詳述する。
【００１１】
端子台１の接続部４，４の機構につき詳細に説明する。
作動空隙３，３間に位置する隔壁部５には、作動空隙３，３の下底を連通する長溝９が形成され、該長溝９に導通板２０が左右方向を横断して嵌着される。
【００１２】
また、作動空隙３，３には、区画突部１１が形成され、内側の操作空隙３ａと外側の接続空隙３ｂとを区画している。そして操作空隙３ａの直上に、外方へ開口する操作孔１５が形成され、接続空隙３ｂの直上に、同じく外方へ開口する結線孔１８が形成される。そして、該結線孔１８直下で、後述するように電線８０が接続される。また操作孔１５の内側面には係止段１６が形成され、該係止段１６の下方には外方へ傾斜する案内面１７が形成されている。この係止段１６は、後述するように下方へ傾斜状に押し込まれたくさび状押圧釦４０の内角部が安定的に係止されるように、該角部に倣った段面形状としている。
【００１３】
前記導通板２０は前記肉厚部６の肉厚とほぼ等しい幅の金属片の両側を、直角に曲折してなり、横杆部２１の両側に上方へ立上がる結線端部２２，２２を立設したコ字状をなしている。そして、横杆部２１を上述のように、長溝９に嵌着し、結線部２２，２２を区画突部１１の直外側で前記接続空隙３ｂに位置させて、端子台本体２に装着される。
【００１４】
この結線部２２，２２の前縁には、前板２３が前縁に外方へ曲成され、かつ結線部２２，２２の頂端に内方へ傾斜する係入嘴２４が形成される。そして導通板２０の装着状態で、前板２３の側縁は接続空隙３ｂの外側面に当接し、さらに係入嘴２４は接続空隙３ｂの上部で、結線孔１８の下端面に当接して、位置決めされると共に、前板２３の後方に、後述する電線８０の導線８１が挿入する空隙を生じさせ、これにより左右に接続部４，４を構成している。
【００１５】
一方、区画突部１１には、図３で拡大して示す、板状の湾動バネ３０が外嵌される。
ここで、湾動バネ３０は、導線挿入孔３２が形成され、移動端部３１ａと、該移動端部３１ａから内方へ湾曲状に延成されて操作孔に臨む押圧背部３１ｂと、該押圧背部３１ｂから延成されて保持基部３１ｃとからなり、保持基部３１ｃの端部を前記導線挿入孔３２に挿入して、環状としている。そして、前記移動端部３１ａに導線挿入孔３２を形成して、結線孔１８の下端を横断するように位置させ、押圧背部３１ｂを操作孔１５の直下に位置させ、さらに保持基部３１ｃを区画突部１１の外面と導通板２０の結線部２２，２２間で挟持し、これにより、湾動バネ３０を端子台本体２に保持するようにしている。このとき湾動バネ３０は復元弾力により拡径方向に付勢され、このため移動端部３１ａは図１で示す後退位置に保持され、導線挿入孔３２の外端が係入嘴２４の外面と当接して、導線挿入孔３２は結線孔１８直下から内方へ退避している。
【００１６】
前記操作孔１５には、くさび状押圧釦４０が嵌着される。このくさび状押圧釦４０は下端が尖ったくさび状をしており、外面に内方へ傾斜した押圧面４１を備える。またその上部の操作部４２は幅広状となり、その操作孔１５の上端面にドライバー等の工具６０の端部が挿入する操作溝４３が形成されている。
【００１７】
そして図１で示すように、非結線状態では、くさび状押圧釦４０の下端が押圧背部３１ｂの背面と隔壁部５の垂直状内面との間で挟持され、その操作部４２の上面を端子台本体２の上面と面一状となるようにしている。すなわち、該くさび状押圧釦４０は図示しない係止部分により端子台本体２から突出しないで、該操作孔１５内に保持されるようにしている。そしてこの位置では、湾動バネ３０の押圧背部３１ｂには押圧力が付与されていず、その復元弾力により、上述したように、導線挿入孔３２が内方へ偏位しており、これにより、移動端部３１ａの前端部で接続部４，４が結線孔１８と遮断されている。
【００１８】
かかる構成からなる端子台１は、図４で示すように、上述した据付レール７０の連係突部７１，７１に連結片８，８を係合して、据付レール７０上に多数重ね合わせ状に連結される。この連結は端子台本体２の肉厚部６の前面に突成した連結突部５５を背板７の、該連結突部５５と対向する位置に形成された連結孔（図示せず）に嵌入することにより行なわれ、かつ最端部の端子台１の肉厚部６に背板７とほぼ同一形状の側板５７が被着される。さらに、この端子台列を据付レール７０上で固定するために、該据付レール７０に固定金具７６，７６が螺子７７により固定される。
【００１９】
かかる端子台列にあって、所要の電線８０相互を電気的に接続するには、任意の端子台１の両側に開口した結線孔１８に電線８０を夫々挿入して、接続部４，４に結線し、導通板２０を介して夫々を同電位とすれば良い。
【００２０】
この接続部４，４への結線手順を図５に従って説明する。
上述したように、定常状態では、結線孔１８は湾動バネ３０の移動端部３１ａの前部により遮断されていると共に、前記操作孔１５もくさび状押圧釦４０により遮蔽されている。
【００２１】
そこで、図５イのようにドライバー等の工具６０の先端をくさび状押圧釦４０の操作溝４３に嵌入し、湾動バネ３０の弾力に抗して、くさび状押圧釦４０を下方へ押し込む、この押込み操作により、くさび状押圧釦４０の下端が案内面１７を案内として、下方へ移動し、これにより、くさび状押圧釦４０の押圧面４１に湾動バネ３０の押圧背部３１ｂが外方へ押し込まれ、移動端部３１ａが外方へ移動する。そして、最終押込み位置で、くさび状押圧釦４０の内角部が係止段１６に係合し、図５ロのように、該最終押込み位置が保持される。そしてこの位置で、図６イのように、湾動バネ３０の導線挿入孔３２が係入嘴２４に外嵌した状態で、外方へ移動し、その導線挿入孔３２が結線孔１８の直下位置となる。このため、結線孔１８から電線８０を挿入すると、その導線８１は、導線挿入孔３２の前縁と結線部２２間に生ずる開口から下方へ挿入可能となる。ここで、上述のように、係止段１６により、くさび状押圧釦を最大押込み位置で保持できる。このため作業者は、電線８０の結線孔１８への挿入に専念でき、操作が容易となる。
【００２２】
そして、かかる挿入後に、再び工具６０を操作溝４３に嵌入し、図５ハで示すように、工具６０を傾倒すると、隔壁部５の上縁を支点として、工具６０先端が外方傾動し、これによりくさび状押圧釦４０が起き上がる。そして、係止段１６との係合が解除され、湾動バネ３０の拡径作用により、くさび状押圧釦４０が押し上げられて、図６ロの定常状態となる。この状態にあって、移動端部３１ａが内方へ移動し、電線８０の導線８１が、導線挿入孔３２の前縁と結線部２２間で挟持されることとなる。このため、機械的に電線８０が固結されると共に、導線８１が結線部２２の外面に圧接して、電気的接続が確保される。
【００２３】
かかる構成にあって、前記くさび状押圧釦４０を工具６０で操作することにより、容易にくさび状押圧釦４０の押圧面４１ａを外方へ移動することができ、かつその状態を前記くさび状押圧釦４０を係止段１６で係止することにより保持できる。このため電線８０の結線孔１８への挿入が容易となる。特に押圧釦４０はくさび状をなしており、押圧操作により、案内面１７による案内作用と相俟って、押圧背部３１ｂが徐々に押し込まれるから、力が入らず、かつ円滑な押込み操作が可能となる。
【００２４】
さらには、くさび状押圧釦４０を下方へ押し込んで係止段１６で係止した状態で、出荷することにより、使用者の結線作業は、単に電線８０を挿し込んで、押圧釦４０を図１又は図６ロの状態に復帰するだけで良いから、配線工程を省力化できる。
【００２５】
この点、図７で示すように、くさび状押圧釦４０が無いとすると、工具６０の先端で湾動バネ３０の押圧背部３１ｂを直接移動させる必要があり、視認しにくい、操作孔１５の奥部での操作であるため、作業が面倒であると共に、大きな力を要し、かつ工具により、その内部を傷付けるおそれがあり、しかも工具を挿入した状態で、電線８０の挿入作業を行なわなければならず、操作性が悪い。
【００２６】
上述のくさび状押圧釦４０を用いた構成はかかる問題点が解決されている。しかも、該くさび状押圧釦４０により操作孔１５が遮断され、湾動バネ３０及び２９が遮蔽されているため、高電圧が印加されていても安全である。
【００２７】
このようにして、各端子台１に電線８０が結線された後に、その接続態様を確認できるように保持溝部６５列には記名板７５が装着される。この保持溝部６５の構成を説明する。
【００２８】
この保持溝部６５は、図８で拡大して示すように、前後方向に貫通しており、両縁に係止突部６６，６６が形成されると共に、可撓係止爪６７がその溝面に形成されている。この可撓係止爪６７は両側に溝６８，６８が切込んであるため、溝面と直交する方向への可撓性を付与されている。また、可撓係止爪６７は三角状突起により構成され、その頂端が傾斜面６９となっている。
【００２９】
図９，１０は、記名板７５の装着手順を示すものであり、端子台１列の可撓係止爪６７が突成されている方向から、図９イで示す保持溝部６５列に挿入する。このとき図１０ロ，ハで示すように、傾斜面６９の案内作用により、記名板７５の挿入と共に、各可撓係止爪６７が下方退避して、その挿入が可能となる。そしてその最終端が前記可撓係止爪６７と係合し、図９ハ又は図１０ニで示すように、該保持溝部６５列に、長尺状の記名板７５が嵌装されることとなる。尚、図１０は一枚の端子台を用いた場合を示し、図９は、端子台１列に記名板７５を適用した場合を示すが、その作用は同じである。このように、本発明にあっては、単一の端子台１のみを用いる場合もある。この保持溝部６５を用いた構成は、本発明外においても用いられ得る。
【００３０】
図１１イ〜ハは、従来の保持溝部６５’に記名板７５を装着した構成を示すものである。この構成は可撓係止爪６７が無いため、図１１ハで示すように、その両端を側板５７，５７で保持する必要があるが、上述の構成にあっては、一方の側板５７が不要となる利点がある。
【００３１】
【発明の効果】
本発明は上述したように、結線孔を横断する位置に配設される移動端部と、該移動端部から内方へ湾曲状に延成されて操作孔に臨む押圧背部と、該押圧背部から延成されて端子台本体に保持される保持基部とからなり、移動端部には導線挿入孔が形成されている湾動バネを両接続部に備え、前記導通板の両側に立設した結線端部を前記導線挿入孔に挿入し、定常位置で、湾動バネの復元弾力により導線挿入孔の前縁と結線部とで導線の挟持を可能とし、端子台本体に形成された操作孔に付装したくさび状押圧釦を、工具ににより押込むと、湾動バネの押圧背部を外方へ押付けて、移動端部を導線挿入孔が結線孔と一致する位置へ移動して、導線挿入孔の前縁と結線部との間に開口を生じ、結線孔からの導線の離脱または挿入を可能とするようにしたものである。
【００３２】
このため、導線は、湾動バネの復元弾力が直接作用して、導線挿入孔の前縁と結線端部間で挟持されるため、接続強度が高い。また、くさび状押圧釦を工具で操作することにより、押圧背部は徐々に押し込まれるから、力が入らず、かつ円滑な押込み操作が可能となり、容易に湾動バネの移動端部を外方へ移動することができる。しかも、該くさび状押圧釦により操作孔が遮断され、湾動バネが遮蔽されているため、導通板に高電圧が印加されていても安全である等の優れた効果がある。
【００３３】
また、係止段を設けたから、くさび状押圧釦を最大押込み位置で保持できる。このため作業者は、電線の結線孔への挿入に専念でき、操作が容易となる。
【図面の簡単な説明】
【図１】本発明の端子台１の一例を示す正面図である。
【図２】端子台１の分解斜視図である。
【図３】湾動バネ３０の拡大斜視図である。
【図４】各端子台を据付レール７０上に取付けた状態を示す斜視図である。
【図５】端子台１において、結線手順を示す説明図である。
【図６】端子台１の結線状態を示す拡大切欠正面図である。
【図７】くさび状押圧釦４０を除去した端子台１における結線手順を示す比較説明図である。
【図８】保持溝部６５を示す斜視図である。
【図９】記名板７５の接続手順を示す斜視図である。
【図１０】記名板７５の接続手順を示す概要縦断側面図である。
【図１１】保持溝部６５の無い構成の記名板７５の接続手順を示す概要縦断側面図である。
【符号の説明】
１  端子台
２  端子台本体
４  接続部
１５  操作孔
１６  係止段
１７  案内面
１８  結線孔
２０  導通板
２２  結線部
３０  湾動バネ
３２  導線挿入孔
４０  くさび状押圧釦
４１  押圧面
６５  保持溝部
６７  可撓係止爪
【図１】
0004116159.tif 000002
【図２】
0004116159.tif 000003
【図３】
0004116159.tif 000004
【図４】
0004116159.tif 000005
【図５】
0004116159.tif 000006
【図６】
0004116159.tif 000007
【図７】
0004116159.tif 000008
【図８】
0004116159.tif 000009
【図９】
0004116159.tif 000010
【図１０】
0004116159.tif 000011
【図１１】
0004116159.tif 000012